(57)【要約】【課題】  安定勾配ｉが４５°を越えるように地山面に対して掘削作業を行うことなく、安定した状態で軽量盛土構造体を施工できるようにする。【解決手段】  壁面材取り付け用支柱の接続基礎としての機能を果たす基礎コンクリート３０を、上載荷重によって変形しないだけの底面積を持つ最下段の軽量盛土ブロック６ａを安定して設置できるだけの底版面積３１を持つ高さのものとして構築する。高さの高い基礎コンクリート３０を安定させるために、基礎コンクリート３０に地中に一端を固定したアンカー４０の他端を取り付ける。【選択図】  図１
2005083095.tif 000002
【特許請求の範囲】
【請求項１】
少なくとも壁面材取り付け用支柱の接続基礎としての機能を果たす基礎コンクリートを構築する工程と、支柱と地山との間に軽量盛土材を多段に積み上げる工程と、軽量盛土材の上に道路構造体などを造る工程とを少なくとも備える軽量盛土工法において、基礎コンクリートを構築する工程はさらに基礎コンクリートに地中に一端を固定したアンカーの他端部を取り付ける工程を含むことを特徴とする軽量盛土工法。
【請求項２】
基礎コンクリートは軽量盛土材の設置基盤としての機能も有しており、該基礎コンクリートを設置基盤として支柱と地山との間に軽量盛土材を多段に積み上げることを特徴とする請求項１に記載の軽量盛土工法。
【請求項３】
基礎コンクリートの裏面と地山との間に裏込め材を充填する工程をさらに有しており、該基礎コンクリートと裏込め材を設置基盤として支柱と地山との間に軽量盛土材を多段に積み上げることを特徴とする請求項１に記載の軽量盛土工法。
【請求項４】
少なくとも壁面材取り付け用支柱の接続基礎としての機能を果たす基礎コンクリートと、支柱と地山との間に多段に積み上げられた軽量盛土材と、軽量盛土材の上に造られた道路構造体などとを少なくとも備える軽量盛土構造体であって、基礎コンクリートには地中に一端を固定したアンカーの他端部が取り付けられていることを特徴とする軽量盛土構造体。
【請求項５】
基礎コンクリートは軽量盛土材の設置基盤としての機能も有しており、該基礎コンクリートを設置基盤として支柱と地山との間に軽量盛土材が多段に積み上げられていることを特徴とする請求項４に記載の軽量盛土構造体。
【請求項６】
基礎コンクリートの裏面と地山との間に充填された裏込め材をさらに有しており、該基礎コンクリートと裏込め材を設置基盤として支柱と地山との間に軽量盛土材が多段に積み上げられていることを特徴とする請求項４に記載の軽量盛土構造体。
【発明の詳細な説明】
【技術分野】
【０００１】
本発明は、発泡ポリスチレン（ＥＰＳ）ブロックなどを軽量盛土材として用いる軽量盛土工法と軽量盛土構造体に関する。
【背景技術】
【０００２】
軟弱地盤や地滑り地などでの盛土工法の一つとして、例えば、ＥＰＳ工法のように、発泡ポリスチレン（ＥＰＳ）ブロックなどの樹脂発泡体ブロックを多段に積み上げて軽量盛土層とし、その上に道路構造体などを設置するようにした軽量盛土工法は知られている（例えば、特許文献１：特開平１１−１７２６８０号公報参照）。この工法は、地盤改良にかかる経費の節減、工期の短縮などにおいて優れた効果を発揮することから、種々の土木工事において広く採用されている。
【０００３】
図３は、軽量盛土工法により施工された構造体の一例を示しており、既存の地山面１を安定勾配ｉまで掘削して新たな地山面２とした後、基礎コンクリート３を打設する。基礎コンクリート３は壁面材４の取り付け用支柱（Ｈ鋼などの鋼材）５の接続基礎であると共に、軽量盛土材６の設置基盤として機能する。基礎コンクリート３を基盤として支柱５と新たな地山面２との間に軽量盛土材６が多段に積み上げられ、その上にコンクリート床版７を造り、道路構造体８などが造られる。地盤が弱い場合には、壁面材取り付け用支柱５の接続基礎としての機能を果たす厚さの薄い基礎コンクリートを打設し、該基礎コンクリートの裏面と地山との間に砕石や回収樹脂インゴットの破砕物のような裏込め材を充填し、該裏込め材を主たる設置基盤として軽量盛土材６を積み上げる場合もある。道路構造体８からの荷重に対して軽量盛土構造体の安定性を確保するために、コンクリート床版７には地山側に一端を固定したアンカー９が取り付けられる。
【０００４】
図３に示す形態の軽量盛土構造体において、背面勾配が安定勾配ｉであるかそれ以下である場合には、軽量盛土層にかかる背面土圧は零となる。施工現場での背面勾配が安定勾配ｉより急な場合には背面土圧が作用するので、軽量盛土層にかかる背面土圧をなくすように、通常、地山を安定勾配ｉとなるまでの掘削して新たな地山面２とする。安定勾配は地山の土質あるいは地山表面性状（例えば石積表面の地山など）によって異なり、安定勾配が比較的急な土質の地山もある。
【０００５】
一方、背面地山の勾配が急（例えば４５°以上）な場合に、積み上げた軽量盛土材６の最下段のブロック６ａに上載荷重が集中して作用し、圧縮変形することが起こり得る。この変形を防止するために最下段のブロック６ａはある程度の受け面積を持つことが必要であり、安定勾配ｉが比較的急である土質の地山に対して軽量盛土構造体を施工する場合であっても、最下段のブロック６ａの受け面積（ブロック幅）を確保するために、やはりある程度の掘削作業を必要とする。この掘削により当初の安定勾配が失われる場合もあり、その場合には、新たな安定勾配が得られるまで地山全体を掘削することが必要となる。
【０００６】
【特許文献１】特開平１１−１７２６８０号公報
【発明の開示】
【発明が解決しようとする課題】
【０００７】
安定勾配が４５°を越えるような急勾配である地山の場合に、その斜面をそのまま背面地山として利用して軽量盛土材を積み上げることができれば、地山に対する掘削作業を必要としないので、施工コストは大きく低減する。しかし、上記のように、上載荷重によって変形しないだけの面積を最下段の軽量盛土ブロックに持たせることが必要であり、基礎コンクリート部近傍での掘削作業がどうしても必要となっている。
【０００８】
基礎コンクリート３を前方に張り出すようにして設置することにより、幅の広い軽量盛土材に対する安定した設置基盤を構築することができる。しかし、この方法は、コンクリート量が多くなるので地盤が弱い箇所には適用が難しいと共に、前方に張り出すだけ軽量盛土材の量も多くなり、必要な土地面積も大きくなる。必要な設置基盤面積（横幅）が得られるまで基礎コンクリート３の高さを高くしていくことも考えられるが、基礎コンクリート３の高さが高くなると、基礎コンクリート３の全体の重量が重くなって不安定になり基礎コンクリートの滑りや転倒が生じる恐れがあることから、実用的な解決策となっていない。
【０００９】
軽量盛土材が発泡樹脂ブロックの場合、他のブロックよりも密度の高いブロックを最下段あるいはその近傍のブロックとして用いることにより、必要な設置基盤面積（横幅）をある程度は狭くすることができるが、限度がある。また、高密度の発泡樹脂ブロックのコストは高く、さらに、異なった種類の発泡樹脂ブロックを同一の現場で用いるという施工上の煩わしさも伴う。
【００１０】
本発明は上記のような事情に鑑みてなされたものであり、４５°を越えるような勾配で安定している地山に対しても、その安定勾配をそのまま保持した状態で、かつ、特別の軽量盛土材を用いることなく、また、本来必要とされる土地面積以上の土地を利用することなく、安定して軽量盛土材を積み上げることを可能とした新たな軽量盛土工法と、軽量盛土構造体を提供することを目的とする。
【課題を解決するための手段】
【００１１】
上記の課題を解決するための本発明による軽量盛土工法は、少なくとも壁面材取り付け用支柱の接続基礎としての機能を果たす基礎コンクリートを構築する工程と、支柱と地山との間に軽量盛土材を多段に積み上げる工程と、軽量盛土材の上に道路構造体などを造る工程とを少なくとも備える軽量盛土工法において、基礎コンクリートを構築する工程はさらに基礎コンクリートに地中に一端を固定したアンカーの他端部を取り付ける工程を含むことを特徴とする。
【００１２】
本発明の工法において、基礎コンクリートは単に壁面材取り付け用支柱の接続基礎としての機能を果たすものであってもよく、壁面材取り付け用支柱の接続基礎としての機能に加えて軽量盛土材の設置基盤としての機能を果たすものであってもよい。前者の場合には、基礎コンクリートの裏面側に軽量盛土材の設置基盤としての機能を果たすものとして、砕石や回収樹脂インゴットの破砕物のような裏込め材が充填される。
【００１３】
いずれの場合にも、本発明の工法は、基礎コンクリートに、地山に一端を固定したアンカーの他端を取り付けるという、本発明者らがはじめて行った工程を除いて、他の工程は基本的に従来知られた軽量盛土工法の場合と同様であってよい。また、本発明の工法は、４５°を越えるような勾配で安定している地山に対して軽量盛土構造体を造る場合の施工方法として特に有効であるが、より緩やかな安定勾配を持つ地山に対して軽量盛土構造体を造る場合にも、同じようにして適用可能である。
【００１４】
本発明の工法では、構築される基礎コンクリートには地山に一端を固定したアンカーの他端が取り付けられており、高い安定性を持つ。そのために、基礎コンクリートを高さの高いものとして構築しても、基礎コンクリートの滑りや転倒が生じたりするのを阻止することができる。
【００１５】
従って、４５°を越えるような急勾配で安定している地山に対して施工する場合に、上載荷重により変形しないだけの底面積を持つ最下段の軽量盛土ブロックを安定して設置できるだけの底版面積が得られるまで、基礎コンクリートの高さを高くしても、取り付けたアンカーの持つ機能により、当該基礎コンクリートは安定した姿勢を保持できる。このことは、施工しようとする地山に対して従来必要としていた掘削作業を省略できることを意味しており、施工コストの大幅な低減に繋がる。
【００１６】
そのようにして構築した背の高い基礎コンクリートの上面を設置基盤として利用し、そこに接続したＨ鋼などの支柱と既存の地山との間に、従来の工法と同様にして、例えばＥＰＳブロックのような軽量盛土材を多段に積み上げる。さらにその上に、従来の工法と同様にして道路構造体などを造ることにより本発明による軽量盛土構造体が得られる。
【００１７】
軽量盛土材の設置基盤としての機能をも有する基礎コンクリートを高さの高いものとして構築すると、基礎コンクリート全体の重量が重くなり、地盤が軟弱な場合には、さらに不安定になる恐れがある。そのような場合には、基礎コンクリートとして単に壁面材取り付け用支柱の接続基礎としての機能を果たす厚さの薄いものを用い、その裏面と地山との間に前記したコンクリートよりは軽量な裏込め材を充填する。この場合にも、基礎コンクリートの高さを高いものとし、充填した裏込め材の上面に、上載荷重により変形しないだけの面積を持つ最下段の軽量盛土ブロックを安定して設置できるだけの底版面積が形成されるようにする。この場合に、裏込め材による側圧が基礎コンクリートに作用しても、基礎コンクリートは地中に一端を固定したアンカーの他端部が取り付けられており、滑りなどにより姿勢が不安定となることはない。
【発明の効果】
【００１８】
本発明による軽量盛土工法および軽量盛土構造体では、基礎コンクリートに一端を地山に固定したアンカーの他端が取り付けられており、基礎コンクリートの高さを高くしても姿勢が不安定となることはない。そのために、任意の高さの基礎コンクリートを構築することが可能となり、結果として、４５°を越えるような急勾配で安定している地山に対して軽量盛土工法を施工する場合でも、従来のように、上載荷重により変形しないだけの面積を持つ最下段の軽量盛土ブロックを安定して設置できるだけの底版面積が得られるように地盤および地山を掘削する作業を省略することができ、施工コストは大幅に低減する。
【発明を実施するための最良の形態】
【００１９】
以下、本発明の実施の形態を図面を参照しながら説明する。図１は本発明により構築された軽量盛土構造体の第１の形態を示す概略図であり、図２は第２の形態を示す概略図である。いずれにおいても、施工しようとする地山面１は例えば４５°を越えるような角度であるものの石積１０の表面となっているために、そのままで安定勾配ｉをなしている。前記したように、このような場合に、従来工法では、上載荷重によって変形しないだけの底面積を持つ最下段の軽量盛土ブロック６ａを安定して設置できるように、基礎コンクリート部近傍および地山面での掘削作業がどうしても必要となっていた。
【００２０】
図１の形態では、そのような掘削を行うことなく、上載荷重によって変形しないだけの底面積を持つ最下段の軽量盛土ブロック６ａを安定して設置できるだけの底版面積３１を持つ高さの高い基礎コンクリート３０を地山１の所定箇所に構築するようにしている。構築に当たり、地山の所定位置にアンカー孔４１を所定角度で削孔し、そこにアンカー４０の一端をコンクリート打設など適宜の手段で固定する。次に、基礎コンクリート３０のための枠組み（不図示）を行い、かつ、アンカー４０の他端が枠内を通過した状態として、基礎コンクリートのためのコンクリートの打設を行う。そのときに、壁面材４の取り付け用支柱５も同時に建て込んでおく。打設したコンクリートが硬化した後、アンカー４０の他端４２を適宜の緊結具４３を用いて基礎コンクリート３０に固定する。
【００２１】
ここで、基礎コンクリート３０の高さは、前記したように、上載荷重によって変形しないだけの底面積を持つ最下段の軽量盛土ブロック６ａを安定して設置できるだけの底版面積３１が得られるだけの高さとして設定する。高さが高いことにより、基礎コンクリート３０の全体重量が重くなって不安定になるが、基礎コンクリート３０はアンカー４０により支持されており、滑りや転倒などを起こすことなく安定した状態を保つ。
【００２２】
構築した基礎コンクリート３０を設置基盤として、以下、従来工法と同様にして、支柱５と地山面１との間にＥＰＳブロックのような軽量盛土材６を積み上げていき、軽量盛土層とする。軽量盛土層の上にコンクリート床版７を設置し、アンカー９で安定的に固定する。その後、道路構造体８などを造り、本発明による軽量盛土構造体は完成する。
【００２３】
図２に示す第２の形態では、基礎コンクリート３０Ａは、主に支柱５の接続基礎としての機能を果たすべく形成される。そのために、基礎コンクリート３０Ａは厚さの薄いものであり、支柱５を建て込むべき場所の直下にのみ設けられる。この基礎コンクリート３０Ａに対しても、図１に示したと同様にして一端を地中に固定したアンカー４０の他端が固定される。そして、基礎コンクリート３０Ａと地山面１との間には、砕石や回収樹脂インゴットの破砕物のような裏込め材５０が基礎コンクリート３０Ａと同じ高さまで充填される。
【００２４】
基礎コンクリート３０Ａの高さは図１に示した第１の形態の場合と同様にして設定されており、従って、基礎コンクリート３０Ａの上面と充填した裏込め材５０の上面とを設置基盤として、上載荷重によって変形しないだけの底面積を持つ最下段の軽量盛土ブロック６ａを安定して設置することができる。以下の施工手順は、第１の形態と同様であり、同じ符号を付し、説明は省略する。
【００２５】
この形態では、軽量盛土材よりは重い裏込め材５０の側圧を基礎コンクリート３０Ａが受けることとなるが、基礎コンクリート３０Ａはアンカー４０で支持されており、姿勢が不安定となることはない。裏込め材５０はコンクリートよりは軽いものであり、この工法は地盤が軟弱な現場で好適に用いることができる。
【図面の簡単な説明】
【００２６】
【図１】本発明により構築された軽量盛土構造体の第１の形態を示す概略図。
【図２】本発明により構築された軽量盛土構造体の第２の形態を示す概略図。
【図３】軽量盛土工法により施工された構造体の一例を示す概略図。
【符号の説明】
【００２７】
ｉ…安定勾配、１…既存の地山面、２…掘削後の新たな地山面、３、３０、３０Ａ…基礎コンクリート、４…壁面材、５…支柱、６…軽量盛土材（ブロック）、６ａ…最下段のの軽量盛土ブロック、７…コンクリート床版、９…コンクリート床版のためのアンカー、３１…基礎コンクリートの底版面積、４０…基礎コンクリート用のアンカー、５０…裏込め材
【図１】
2005083095.tif 000003
【図２】
2005083095.tif 000004
【図３】
2005083095.tif 000005